(57)【要約】      （修正有）【課題】ユーザが握り易く、ズボンの後ろポケットにも入れ易く、ハトメを介してズボンやリックサックに常用することが可能なメモ帳を提供する。【解決手段】本考案は、ミシン目１０を有する括れた複数のメモ用紙１１と、当該メモ用紙１１を覆う括れたカバー紙１２とを備えたメモ帳１であって、メモ帳１の上方左右先端が尖り、メモ帳１の下方左右先端が丸みを帯びており、カバー紙１２はメモ用紙１１の上端部からメモ用紙１１のミシン目１０に至らないメモ用紙１１の上端部近傍までシール１３されている。本考案は、メモ帳１はカバー紙１２の上方右端部からメモ用紙１１の上端部近傍までの間にハトメ１４が設けられ、カラビナを通してズボン又はリックサックに常用される。【選択図】図１
0003210822.tif 000002
【実用新案登録請求の範囲】
【請求項１】
ミシン目を有する括れた複数のメモ用紙と、当該メモ用紙を覆う括れたカバー紙とを備えたメモ帳であって、
前記メモ帳の上方左右先端が尖り、前記メモ帳の下方左右先端が丸みを帯びており、
前記カバー紙は前記メモ用紙の上端部から前記メモ用紙のミシン目に至らないメモ用紙の上端部近傍までシールされ、
前記メモ帳は前記カバー紙の上方右端部から前記メモ用紙の上端部近傍までの間にハトメが設けられ、カラビナを通してズボン又はリックサックに常用される
メモ帳。
【考案の詳細な説明】
【技術分野】
【０００１】
本考案は、メモ帳に関する。
【背景技術】
【０００２】
従来より、メモ帳に関する技術が多種存在する。例えば、特許庁意匠課公知資料番号第ＨＣ２０００５５２５号（非特許文献１）、特許庁意匠課公知資料番号第ＨＣ１９０１４０４９号（非特許文献２）、特許庁意匠課公知資料番号第ＨＪ１９００９８００号（非特許文献３）には、正面視上端面の角をほぼ直角とし、下端面の角を隅丸状とした縦長形状のメモ帳が開示されている。
【０００３】
又、非特許文献１、意匠登録第０８４９５２０号（特許文献１）、特許庁意匠課公知資料番号第ＨＪ２４０２４３３４号（非特許文献４）には、リング等を用いず、上端部を接着等することにより、用紙をまとめたメモ帳が開示されている。
【０００４】
更に、特許庁意匠課公知資料番号第ＨＨ１８５２３９８９号（非特許文献５）、特許庁意匠課公知資料番号第ＨＨ２１３０２４４６号（非特許文献６）には、両側面部を略凹弧状に形成したメモ帳が記載されている。尚、非特許文献２、特許文献１、非特許文献４には、ミシン目を設けたメモ帳が開示されている。
【０００５】
ふるはし、"耐水メモパッド「TAGGED MEMOPAD」を洗濯してみたら驚いた［レビュー］"、［online］、２０１５年１０月２３日、ＴｅｒａＤａｓ−テラダス、［２０１７年２月２４日検索］、インターネット<URL：http://www.teradas.net/archives/19866/>（非特許文献７）には、両側面部を略凹弧状とし、全体が略つづみ型であり、略凹弧状の両側面部の具体的な湾曲具合、全体の縦横比、リング等を用いず、上端部を接着等することにより、用紙をまとめ、正面視下端角部が隅丸状であるメモ帳が開示されている。
【先行技術文献】
【特許文献】
【０００６】
【特許文献１】意匠登録第０８４９５２０号
【非特許文献】
【０００７】
【非特許文献１】特許庁意匠課公知資料番号第ＨＣ２０００５５２５号
【非特許文献２】特許庁意匠課公知資料番号第ＨＣ１９０１４０４９号
【非特許文献３】特許庁意匠課公知資料番号第ＨＪ１９００９８００号
【非特許文献４】特許庁意匠課公知資料番号第ＨＪ２４０２４３３４号
【非特許文献５】特許庁意匠課公知資料番号第ＨＨ１８５２３９８９号
【非特許文献６】特許庁意匠課公知資料番号第ＨＨ２１３０２４４６号
【非特許文献７】ふるはし、"耐水メモパッド「TAGGED MEMOPAD」を洗濯してみたら驚いた［レビュー］"、［online］、２０１５年１０月２３日、ＴｅｒａＤａｓ−テラダス、［２０１７年２月２４日検索］、インターネット<URL：http://www.teradas.net/archives/19866/>
【考案の概要】
【考案が解決しようとする課題】
【０００８】
従来のメモ帳では、ハトメが無く、常用し難いという課題があった。
【０００９】
そこで、本考案は、ユーザが握り易く、ズボンの後ろポケットにも入れ易く、ハトメを介してズボンやリックサックに常用することが可能なメモ帳を提供することを目的とする。
【課題を解決するための手段】
【００１０】
本考案は、ミシン目を有する括れた複数のメモ用紙と、当該メモ用紙を覆う括れたカバー紙とを備えたメモ帳であって、前記メモ帳の上方左右先端が尖り、メモ帳の下方左右先端が丸みを帯びており、前記カバー紙は前記メモ用紙の上端部から前記メモ用紙のミシン目に至らないメモ用紙の上端部近傍までシールされ、前記メモ帳は前記カバー紙の上方右端部から前記メモ用紙の上端部近傍までの間にハトメが設けられ、カラビナを通してズボン又はリックサックに常用されるメモ帳である。
【考案の効果】
【００１１】
本考案によれば、ユーザが握り易く、ズボンの後ろポケットにも入れ易く、ハトメを介してズボンやリックサックに常用することが可能となる。
【図面の簡単な説明】
【００１２】
【図１】本考案の実施形態に係るカバー紙を開いた状態の参考斜視図である。
【図２】本考案の実施形態に係るメモ帳の正面図及び背面図である。
【図３】本考案の実施形態に係るメモ帳の平面図、底面図及びＡ−Ａ線断面図である。
【図４】本考案の実施形態に係るメモ帳の右側面図、左側面図及びＢ−Ｂ線断面図である。
【図５】本考案の実施形態に係るメモ用紙の正面図及び背面図である。
【図６】本考案の実施形態に係るカバー紙を閉じた状態の参考斜視図である。
【図７】本考案の実施形態に係るメモ用紙が減った状態の参考斜視図である。
【図８】本考案の実施形態に係るメモ帳の使用状態を示す参考写真１である。
【図９】本考案の実施形態に係るメモ帳の使用状態を示す参考写真２である。
【図１０】本考案の実施形態に係るメモ帳の使用状態を示す参考写真３である。
【図１１】本考案の実施形態に係るメモ帳の使用状態を示す参考写真４である。
【図１２】本考案の実施形態に係るメモ帳の使用状態を示す参考写真５である。
【考案を実施するための形態】
【００１３】
本考案は、図１〜図１２に示すように、ミシン目１０を有する括れた複数のメモ用紙１１と、当該メモ用紙１１を覆う括れたカバー紙１２とを備えたメモ帳１であって、前記メモ帳１の上方左右先端が尖り、前記メモ帳１の下方左右先端が丸みを帯びており、前記カバー紙１２は前記メモ用紙１１の上端部から前記メモ用紙１１のミシン目１０に至らないメモ用紙１１の上端部近傍までシール１３されている。
【００１４】
これにより、メモ帳１全体が括れているため、ユーザが握り易く、ズボンの後ろポケットにも入れ易くしている。又、メモ帳１の上方左右先端が尖り、メモ帳１の下方左右先端が丸みを帯びていることから、ユーザの握り易さとズボンの後ろポケットへの入れ易さを兼ね備えている。
【００１５】
そして、本考案は、前記メモ帳１は前記カバー紙１２の上方右端部から前記メモ用紙１１の上端部近傍までの間にハトメ１４が設けられ、カラビナを通してズボン又はリックサックに常用される。
【００１６】
これにより、カバー紙１２を開いてメモ用紙１１にメモし、ハトメ１４を支点にしてメモ用紙１１を引っ張って、ミシン目１０で当該メモ用紙１１を千切って使用する。
【００１７】
ここで、メモ用紙１１とカバー紙１２は、例えば、耐洗紙が用いられる。カバー紙１２の正面部及び背面部には、様々な文字、模様、色彩が付される。
【００１８】
メモ用紙１１の正面部には、図１０に示すように、方眼が付されても良く、メモ用紙１１の背面部は無地である。
【００１９】
メモ帳１は、ハトメ１４にカラビナを通してズボンやリックサックに常用される。
【産業上の利用可能性】
【００２０】
以上のように、本考案に係るメモ帳は、常用メモ帳として有用であり、ユーザが握り易く、ズボンの後ろポケットにも入れ易く、ハトメを介してズボンやリックサックに常用することが可能なメモ帳として有効である。
【符号の説明】
【００２１】
１  メモ帳
１０  ミシン目
１１  メモ用紙
１２  カバー紙
１３  シール部
１４  ハトメ
【図１】
0003210822.tif 000003
【図２】
0003210822.tif 000004
【図３】
0003210822.tif 000005
【図４】
0003210822.tif 000006
【図５】
0003210822.tif 000007
【図６】
0003210822.tif 000008
【図７】
0003210822.tif 000009
【図８】
0003210822.tif 000010
【図９】
0003210822.tif 000011
【図１０】
0003210822.tif 000012
【図１１】
0003210822.tif 000013
【図１２】
0003210822.tif 000014